(57)【要約】  外部に露出する吸入口（９０）、前記吸入口（９０）に通じる流路（９１〜９８）、および、前記流路（９１〜９８）から流体を吐出する吐出口（９９）を設けた吸入装置（１）であって、ポンプ室（９８）に面する一方主面、および、前記一方主面に対向する他方主面を有するダイヤフラム（８３）と、前記ダイヤフラム（８３）に付設した、前記ダイヤフラム（８３）の一方主面をポンプ室（９８）に対して変位させる圧電素子（８１）と、を備え、前記ダイヤフラム（８３）の一方主面および他方主面は、前記吸入口（９０）が向く方向とは異なる方向を向いている。
2015166749.tif 000002
【特許請求の範囲】
【請求項１】
外部に露出する吸入口、前記吸入口に通じる流路、および、前記流路から流体を吐出する吐出口を設けた吸入装置であって、
前記流路に面する一方主面、および、前記一方主面に対向する他方主面を有する振動板と、
前記振動板に付設した、前記振動板の一方主面を前記流路に対して変位させる圧電素子と、
を備え、
前記振動板の一方主面および他方主面は、前記吸入口が向く方向とは異なる方向を向いている、
吸入装置。
【請求項２】
前記吐出口は、前記吸入口が位置する方向とは異なる方向を向いている、
請求項１に記載の吸入装置。
【請求項３】
前記振動板の一方主面または他方主面は、前記吐出口が位置する方向を向いている、
請求項１または請求項２に記載の吸入装置。
【請求項４】
前記振動板の一方主面および他方主面は、前記吸入口が位置する方向に対して略直交する方向を向いている、
請求項１乃至請求項３のいずれかに記載の吸入装置。
【請求項５】
前記圧電素子に駆動電圧を印加する回路基板を備え、
前記振動板の一方主面または他方主面は、前記回路基板が位置する方向を向いている、
請求項１乃至請求項４のいずれかに記載の吸入装置。
【請求項６】
遮蔽板を備え、前記振動板の一方主面または他方主面は、前記遮蔽板が位置する方向を向いている、
請求項１乃至請求項５のいずれかに記載の吸入装置。
【請求項７】
前記振動板の一方主面および他方主面に対向する位置を把持部とする筐体を備える、
請求項１乃至請求項６のいずれかに記載の吸入装置。
【請求項８】
前記振動板の主面面内方向のサイズが、前記振動板の一方主面および他方主面が向く方向での前記筐体の内部空間のサイズよりも大きい、
請求項７に記載の吸入装置。
【発明の詳細な説明】
【技術分野】
【０００１】
本発明は、鼻水などの液体等を除去する際に利用される吸入装置に関する。
【背景技術】
【０００２】
風邪や鼻炎、蓄膿症などにかかると、鼻水の分泌が過剰になることで鼻づまり等の症状が生じる。一般的には鼻をかむことで鼻づまりを解消することが可能であるが、自ら鼻をかむことができない乳幼児等の場合には、介助者が鼻水を除去する必要がある。この際、ちり紙や綿棒を用いて少量の鼻水を除去することは可能であるが、多量の鼻水を除去することは難しかった。そこで、近年では、電動モータとポンプを用いて、鼻水を多量に除去できるようにした吸入装置が普及してきている（例えば特許文献１および２参照。）。
【先行技術文献】
【特許文献】
【０００３】
【特許文献１】特表２０１０−５２７６３６号公報
【発明の概要】
【発明が解決しようとする課題】
【０００４】
しかしながら、従来の吸入装置は、使用時に発生するモータ音や振動が大きく、乳幼児等がモータ音や振動に反応して体を動かして鼻水の吸引作業を行い難くなる場合があった。そこで、出願人は、電動モータに替えて、使用時に発生するモータ音や振動が小さい圧電素子を用いた吸入装置を開発している。【０００５】
図６は、駆動源に圧電素子を用いた吸入装置を模式的に示す図である。吸入装置１０１は、ノズル１０２とセパレータ１０３と圧電駆動部１０４とを備えている。ノズル１０２は、鼻腔等に挿入され、外部の流体を吸引する。セパレータ１０３は、ノズル１０２の後端に接続して設けられ、ノズル１０２で吸引した鼻水を空気から分離する。圧電駆動部１０４は、セパレータ１０３の後端に接続して設けられ、セパレータ１０３が分離した空気を吸引して外部に吐出する。また、圧電駆動部１０４は、ダイヤフラム１０５と圧電素子１０６とを備えている。ダイヤフラム１０５は、吐出口に対向するように設けられている。圧電素子１０６は、駆動によりダイヤフラム１０５を振動させる。このような構成の吸入装置１０１では、圧電素子１０６の駆動に摺動や摩擦が伴うことがなく、駆動音や振動を大幅に抑制することができる。【０００６】
しかしながら、圧電素子では、振動によって電動モータでは生じない高音域可聴音、所謂モスキート音が生じることがあり、この高音域可聴音が乳幼児等に拒否反応を引き起こすことがあった。【０００７】
そこで、本発明の目的は、高音域可聴音の影響を抑制できる吸入装置を提供することにある。
【課題を解決するための手段】
【０００８】
この発明は、外部に露出する吸入口、前記吸入口に通じる流路、および、前記流路から流体を吐出する吐出口を設けた吸入装置であって、前記流路に面する一方主面、および、前記一方主面に対向する他方主面を有する振動板と、前記振動板に付設した、前記振動板の一方主面を前記流路に対して変位させる圧電素子と、を備え、前記振動板の一方主面および他方主面は、前記吸入口が向く方向（吸入口において液体等が吸入される方向）とは異なる方向を向いている。【０００９】
この吸入装置では、圧電素子の駆動に摺動や摩擦が伴うことがなく、駆動音や振動を大幅に抑制することができる。その上、圧電素子の振動によって高音域可聴音が発生することがあっても、振動板の主面が向く方向を吸入口が向く方向とは異なる方向にすることにより、高音域可聴音の指向方向を吸入口が向く方向から外すことができる。このことにより、吸入口に面することになる乳幼児等に対して、高音域可聴音を聞こえ難くすることができる。【００１０】
前記吐出口は、前記吸入口が位置する方向とは異なる方向を向いていることが好ましい。この構成では、吐出口から漏れる高音域可聴音を乳幼児等に対して聞こえ難くすることができる。【００１１】
前記振動板の一方主面または他方主面は、前記吐出口が位置する方向を向いていることが好ましい。この構成では、高音域可聴音を吸入口側から漏れ難くすることができる。【００１２】
前記振動板の一方主面および他方主面は、前記吸入口が位置する方向に対して略直交する方向を向いていることが好ましい。これにより、高音域可聴音の指向方向が吸入口から最も外れる方向になるので、より確実に高音域可聴音を乳幼児等に聞こえ難くすることができる。【００１３】
前記吸入装置は、前記圧電素子に駆動電圧を印加する回路基板を備え、前記振動板の一方主面または他方主面は、前記回路基板が位置する方向を向いていることが好ましい。これにより、高音域可聴音が外部に漏れることを回路基板によって抑制でき、また、吐出口から吐出される流体を回路基板にあてて回路基板を効果的に冷却できる。【００１４】
前記吸入装置は、遮蔽板を備え、前記振動板の一方主面または他方主面は、前記遮蔽板が位置する方向を向いていることが好ましい。このようにしても、高音域可聴音が外部に漏れることを遮蔽板によって抑制できる。【００１５】
前記吸入装置は、前記振動板の一方主面および他方主面に対向する位置を把持部とする筐体を備えることが好ましい。これにより、高音域可聴音が外部に漏れることを、筐体を把持する手によって抑制できる。【００１６】
前記振動板の主面面内方向のサイズが、前記振動板の一方主面および他方主面が向く方向での前記筐体の内部空間のサイズよりも大きいことが好ましい。これにより、吸入装置を薄型に構成しても、高効率に流体の流れを生じさせることができる。
【発明の効果】
【００１７】
本発明によれば、吸入装置で生じる高音域可聴音を乳幼児等に聞こえ難くすることができるので、鼻水等の吸引作業に対する乳幼児等の拒否反応を抑えることができる。
【図面の簡単な説明】
【００１８】
【図１】第１の実施形態に係る吸入装置の側面断面図である。
【図２】第１の実施形態に係る吸入装置の平面断面図である。
【図３】第１の実施形態に係る吸入装置における圧電駆動部の拡大断面図である。
【図４】第１の実施形態に係る吸入装置における圧電駆動部の振動態様を示す模式図である。
【図５】第２の実施形態に係る吸入装置の側面断面図である。
【図６】従来構成に係る吸入装置を説明する図である。
【発明を実施するための形態】
【００１９】
以下、幾つかの具体的な例を挙げて、本発明を実施するための複数の形態を示す。各実施形態は例示であり、異なる実施形態で示した構成の部分的な置換または組み合わせが可能であることは言うまでもない。
【００２０】
図１は、第１の実施形態に係る吸入装置を側面側から視た側面断面図であり、図２中に一点鎖線Ａ−Ａ’で示す位置の断面を示している。図２は、第１の実施形態に係る吸入装置を天面側から視た平面断面図であり、図１中に一点鎖線Ｂ−Ｂ’で示す位置の断面を示している。
【００２１】
図１および図２に示す吸入装置１は、ここでは鼻水等の液体吸入装置である。該吸入装置１は、全体として長手方向を有する長尺な形状であり、長手方向の一方（以下、前方と称する。）を患者等に向けて使用される。また、該吸入装置１は、長手方向に直交する幅方向と厚み方向とを有しており、厚み方向の寸法が幅方向の寸法よりも薄い薄型に構成されている。
【００２２】
吸入装置１の概略の構成は次のようなものである。吸入装置１は、ノズル２とセパレータ３と筐体４とを備えている。ノズル２、セパレータ３、および筐体４は、この記載順に長手方向の前方から後方にかけて並んでいる。ノズル２は、吸入装置１の使用時に患者等の鼻腔に挿入され、鼻水等の流体を吸入する。セパレータ３は、吸入装置１の使用時にノズル２が吸引する流体に含まれる鼻水等の混合物を分離して貯留する。筐体４は、使用時に操作者等に把持され、セパレータ３から混合物が除去された流体を吸引する。
【００２３】
また、吸入装置１は、筐体４の内蔵部品として電池部６と回路基板７と圧電駆動部８とを備えている。電池部６は、電池６１と電池ケース６２とを備えている。電池ケース６２は、電池６１を取り換え可能に保持している。回路基板７は、給電回路等を構成しており、電源スイッチ７１を備えている。電源スイッチ７１は、筐体４に設けられた開口から外部に露出している。回路基板７は、電源スイッチ７１の押下状態に応じて電池部６から圧電駆動部８への給電をオンまたはオフする。圧電駆動部８は、筐体４内の流路に負圧を生じさせ、セパレータ３から筐体４に流体を吸引する。
【００２４】
以下に、各部の詳細な構成について説明する。
【００２５】
ノズル２は、一体の弾性材料からなり、前端部２１と後端部２２とを備えている。前端部２１は、ノズル２の前方側に設けられた環状の部位であり、前方ほど細くなるように外形に傾斜がついている。後端部２２は、ノズル２の後方側に設けられた環状の部位であり、ノズル２の内側に折り返されている。そして、ノズル２には、吸入口９０と流路９１とが設けられている。吸入口９０は、ノズル２の前方端に設けられた、鼻水等を含む外部の流体を吸入する開口である。流路９１は、ノズル２の内側を長手方向に貫通して設けられており、吸入口９０に通じている。このノズル２は、セパレータ３の前方側に気密した状態で連結されており、セパレータ３から取り外し可能になっている。
【００２６】
セパレータ３は、ケース部３１と筒状部３２とキャップ部３３と筒状部３４とを備えている。ケース部３１は、後方に開口する箱状の部材である。筒状部３２は、ケース部３１に付設された筒状の部位であり、ケース部３１の前方面から前方に突出し、ケース部３１の開口内底面から後方に伸びている。筒状部３２の前方端には、ノズル２の後端部２２が嵌め合わされている。キャップ部３３は、ケース部３１の後方に嵌め合わされる蓋状の部材である。筒状部３４は、キャップ部３３に付設された筒状の部位であり、キャップ部３３から前方に伸びている。
【００２７】
また、セパレータ３には流路９２，９３，９４が設けられている。流路９２は、筒状部３２の内側を長手方向に貫通して設けられており、ノズル２の流路９１に通じている。流路９３は、ケース部３１の内側に設けられており、筒状部３２の流路９２と通じている。流路９４は、筒状部３４の内側を長手方向に貫通して設けられており、ケース部３１の流路９３と通じている。
【００２８】
筒状部３２と筒状部３４とは、ケース部３１の内部で長手方向に互い違いになるように配置され、流路９３を介して流路９２と流路９３とは通じている。このことによってノズル２からセパレータ３に導かれた流体に含まれる鼻水等の液体は、ケース部３１の内部（流路９３）から漏出し難くなっており、流体に含まれる気体のみがセパレータ３から筐体４側に吸引される。
【００２９】
このセパレータ３は、キャップ部３３の後方面に凹部３５が設けられており、この凹部３５に筐体４を嵌め込むことで、筐体４の前方側に気密した状態で連結されている。凹部３５の内底面にはフィルタ３６が設けられている。フィルタ３６は、不織紙状やスポンジ状の膜体であり、セパレータ３側から筐体４側に鼻水等の液体が漏出することを防ぐ機能を有している。なお、フィルタ３６は必ずしも設けなくても良い。
【００３０】
また、セパレータ３は、ねじ３７によって筐体４と連結されており、ねじ３７を外すことによって筐体４から分離可能となっている。また、ケース部３１とキャップ部３３との間も、ねじ３７を外すことによって分割可能となっている。このため、セパレータ３からの鼻水の除去と洗浄が可能である。各部の連結部分には気密のために適宜オーリングを設けている。なお、各部は、ねじ３７の他の連結手段を用いて分離可能に連結されていてもよく、各々が一体に構成されていてもよい。
【００３１】
筐体４は、天面側外装体４１と底面側外装体４２と電池カバー４３を備えている。天面側外装体４１は、厚み方向の底面側に開口が開いた薄手の箱状である。底面側外装体４２は、厚み方向の天面側に開口が開いた薄手の箱状であり、容器状となるように天面側外装体４１の底面側に連結されている。このため、筐体４の内部には、内部空間１００が設けられている。内部空間１００には、電池部６と回路基板７と圧電駆動部８とが収容されている。底面側外装体４２には、電池部６の電池６１を取り換え可能にするための開口が底面側に設けられており、電池カバー４３は、当該開口を覆うように底面側外装体４２の底面側に取り付けられている。内部空間１００は、底面側外装体４２と電池カバー４３との継ぎ目部分を介して筐体４の外部空間と通じ外気圧と略等しくなっている。
【００３２】
底面側外装体４２は、前端部５１と、柱状部５２と、円環状部５３と、を備えている。前端部５１は、底面側外装体４２の前端側に設けられており、セパレータ３側に突出し、セパレータ３の凹部３５に嵌め合わされている。円環状部５３は、底面側外装体４２の内底面から厚み方向の天面側に突出する円管状の部位であり、内部空間１００で圧電駆動部８を支持している。柱状部５２は、底面側外装体４２の内底面から厚み方向の天面側に突出する柱状の部位であり、内部空間１００にて圧電駆動部８と間隔を開けて対向するように回路基板７を支持している。
【００３３】
また、底面側外装体４２には、流路９５，９６が設けられている。流路９５は、セパレータ３の流路９４に通じており、そこから前端部５１の内側を長手方向の後方に延び、途中で厚み方向の底面側に屈曲するように設けられている。流路９６は、円環状部５３の内側に有底孔状に設けられており、円環状部５３の流路９５に通じている。
【００３４】
圧電駆動部８は、厚み方向を薄手とする円板状であり、円環状部５３の内側の流路９５を気密するように、円環状部５３の天面側に接合されている。そして、圧電駆動部８には天面の中央付近に開口する吐出口９９が設けられている。
【００３５】
この吸入装置１では、電源スイッチ７１がオンされて圧電駆動部８が駆動すると、圧電駆動部８が底面側の流路９６から流体を吸引し、吐出口９９から内部空間１００に流体を吐出する。これにより、吐出口９９から吐出された流体は、内部空間１００で拡散し、流体圧が大気圧まで低下することになる。また、圧電駆動部８が流体を吸引する底面側の流路９６には負圧が発生することになる。
【００３６】
したがって、吸入装置１の全体としては、筐体４で流路９６に発生する負圧によって、筐体４の流路９５、セパレータ３の流路９４，９３，９２、およびノズル２の流路９１に流体の流れが生じ、ノズル２の吸入口９０から外部の流体が吸引されることになる。
【００３７】
ここで、圧電駆動部８の詳細な構成と振動態様について説明する。
【００３８】
図３は、圧電駆動部８の周辺を拡大して示す側面断面図である。圧電駆動部８は、圧電素子８１と、構造体８２と、を備えている。構造体８２は、概略の外形が厚み方向に薄い円板状である。この構造体８２の内部には、流路９７とポンプ室９８とが設けられている。また、構造体８２の天面の中央付近には、吐出口９９が開口している。流路９７は、構造体８２の天面で吐出口９９に通じており、構造体８２の内部で中央付近から外周側に延び、構造体８２の底面に開口している。この流路９７は、構造体８２の底面で円環状部５３の内側に設けた流路９６に通じている。ポンプ室９８は、吐出口９９と流路９７との連通部分の底面側に設けられた薄い円筒状の空間であり、吐出口９９と流路９７との連通部分に開口している。このポンプ室９８は、流路９７とともに吸入装置１における流路の一部を構成している。
【００３９】
構造体８２におけるポンプ室９８の内底面は、屈曲振動が可能なダイヤフラム（振動板）８３として構成されている。ダイヤフラム８３は円板状であり、天面がポンプ室９８に面していて、底面に圧電素子８１が貼り付けられている。ダイヤフラム８３の天面は、ポンプ室９８を間に介して吐出口９９と対向している。圧電素子８１は、厚み方向に薄い円板状であり、交流の駆動電圧が印加されることで主面の面内方向に伸縮しようとする圧電性を有している。
【００４０】
図４は、圧電駆動部８の振動態様を示す模式図である。
【００４１】
圧電素子８１とダイヤフラム８３とは、互いに貼り付いてユニモルフ構造を構成しており、圧電素子８１の駆動によって厚み方向に変位する。具体的には、図４（Ａ）に示すような静止状態から圧電素子８１が伸びようとする場合には、図４（Ｂ）に示すように、ダイヤフラム８３が圧電素子８１側（底面側）に凸に屈曲してポンプ室９８の体積が増大する。これにより、ポンプ室９８に負圧が生じ、ポンプ室９８に連通する流路９７に負圧が伝わり、流路９７の流体がポンプ室９８に吸引される。
【００４２】
次に、圧電素子８１が縮もうとすると、図４（Ｃ）に示すように、ダイヤフラム８３がポンプ室９８側（天面側）に凸に屈曲してポンプ室９８の体積が減少する。すると、流路９７を間に介してポンプ室９８と吐出口９９とが対向しているために、ポンプ室９８の流体が吐出口９９から外部（内部空間１００）に吐出されるとともに、その流体の流れに引き込まれて流路９７内の流体が吐出口９９から吐出される。
【００４３】
このように、圧電駆動部８では、圧電素子８１とダイヤフラム８３との屈曲振動に伴い、ポンプ室９８では周期的な体積変動と圧力変動とが繰り返し生じ、気体の流れに慣性力が働くようになる。これにより、流路９７の流体が吐出口９９から吐出される気体の流れが定常的に生じるようになる。
【００４４】
この圧電駆動部８では、部材同士が摩擦（摺動）することが無いため、従来の電動モータ式の駆動部よりも、発生する駆動音や振動が小さい。したがって、吸入装置１から外部空間に漏れる圧電駆動部８の駆動音や振動は極めて小さなものになる。また、ダイヤフラム８３が吐出口９９に対して流路９７およびポンプ室９８を介して対面するため、圧電駆動部８の流体効率が高く、粘性の高い鼻水のような流体であっても吸入装置１で容易に吸引することができる。
【００４５】
ただし、この圧電駆動部８には、１０００Ｈｚ程度の比較的高い周波数の駆動電圧を印加する必要がある。このため、ダイヤフラム８３の振動周波数も１０００Ｈｚ程度の比較的高い周波数となる。これにより、ダイヤフラム８３や吐出口９９から振動周波数と略一致する周波数帯域の可聴音（高音域可聴音）が発生することになる。このような高音域可聴音は、ダイヤフラム８３の振動方向（主面が向く方向）や、吐出口９９が開口する方向に指向性を持つため、高音域可聴音の指向方向では高音域可聴音が大きく聞こえ、高音域可聴音の指向方向から外れる方向では高音域可聴音が小さく聞こえる傾向が現れることになる。
【００４６】
そこで、この吸入装置１では、ダイヤフラム８３の振動方向や吐出口９９の向く方向が、吸入口９０の位置する方向に対して略直交する吸入装置１の厚み方向となるように、圧電駆動部８を配置している。これにより、圧電駆動部８で発生する高音域可聴音の指向方向が吸入装置１の厚み方向となり、吸入装置１の長手方向の前方端に位置するノズル２が、高音域可聴音の指向方向から外れる位置となるようにしている。また、ノズル２が向く方向が高音域可聴音の指向方向とは異なる方向になるようにしている。さらには、圧電駆動部８を、ダイヤフラム８３と吐出口９９とが対面するように構成して、ダイヤフラム８３や吐出口９９をノズル２や吸入口９０から物理的に離して配置し、圧電駆動部８で発生する高音域可聴音をノズル２側に伝わり難くしている。これらのことによって、ノズル２を鼻腔に挿入する吸引作業を受ける乳幼児等に対して、高音域可聴音を聞こえ難くすることができる。
【００４７】
更には、筐体４の外部を操作者の手が把持するように構成するので、圧電駆動部８に対向する位置を覆う操作者の手によって、筐体４から漏れようとする高音域可聴音を遮ることができる。また、筐体４の内部で圧電駆動部８の吐出口９９側に回路基板７を対向するように配置するので、圧電駆動部８の吐出口９９側に漏れようとする高音域可聴音を回路基板７で遮ることができる。これらのことによっても、高音域可聴音を筐体４外部に漏れ難くすることができる。その上、吐出口９９から吐出される流体が回路基板７にあたることによって、回路基板７の冷却効果を高めることもできる。
【００４８】
以上のように、本実施形態の吸入装置１によれば、鼻水の吸引作業を受ける乳幼児等に対して、圧電駆動部８で生じる高音域可聴音を極めて聞こえ難くすることができ、吸引作業に対する乳幼児等の拒否反応を抑えることができる。また、この吸入装置１では、圧電駆動部８の両主面が吸入装置１の厚み方向を向くように、圧電駆動部８を筐体４内に寝かせた状態で配置するので、筐体４の内部空間１００における厚み方向のサイズよりも、圧電駆動部８の主面方向のサイズを大きくすることができる。したがって、吸入装置１を薄型の構成にしても、サイズが大きな圧電駆動部８を用いて、流体の流れを高効率に生じさせることができる。
【００４９】
次に、本発明の第２の実施形態に係る吸入装置について説明する。
【００５０】
図５は、第２の実施形態に係る吸入装置の側面断面図である。
【００５１】
図５に示す吸入装置１Ａは、前述の第１の実施形態に係る構成とほとんど同じであるが、筐体４に遮蔽板８Ａを備えている。遮蔽板８Ａは、筐体４の内部空間１００にて圧電駆動部８の天面側に、圧電駆動部８との間に間隔を開けて配置されている。遮蔽板８Ａと圧電駆動部８との間は、圧電駆動部８からの流体の吐出が阻害されることがないように、一定以上の間隔を開けている。このような遮蔽板８Ａを設けることにより、圧電駆動部８の吐出口９９側に漏れる高音域可聴音を遮ることができ、より一層、筐体４の外部に高音域可聴音を聞こえ難くすることができる。
【００５２】
以上の各実施形態に示したように本発明は実施することができる。なお、ノズル２の形状は、上述の例に限らず、他の形状であってもよい。例えば、母乳吸入装置や痰吸入装置として吸入装置１を用いる場合には、漏斗状やストロー状にノズル２を構成してもよい。
【００５３】
また、セパレータ３において、流体に含まれる気体と混合物（液体）とを分離する構造は、上記以外の構造であってもよい。例えば、セパレータ３に弁構造を採用したりすることでも、流体に含まれる気体と液体とを容易に分離することができる。
【００５４】
また、圧電駆動部８の構造も、上記以外の構造であってもよい。例えば、圧電駆動部８に設ける吐出側流路の数や、吸入側流路の数、それぞれの経路等を適宜に変更することができる。
【００５５】
また、吸引する対象となる流体は、液体に限られず、固体やゲル状の物質であってもよい。本発明は、微小な埃や粉塵を回収する集塵装置や、工作物に塗布しすぎた糊や接着剤を回収する装置などへの応用も可能である。
【符号の説明】
【００５６】
１…吸入装置
２…ノズル
３…セパレータ
４…筐体
６…電池部
７…回路基板
８…圧電駆動部
２１…前端部
２２…後端部
３１…ケース部
３２…筒状部
３３…キャップ部
３４…筒状部
３５…凹部
３６…フィルタ
４１…天面側外装体
４２…底面側外装体
４３…電池カバー
５１…前端部
５２…柱状部
５３…円環状部
６１…電池
６２…電池ケース
７１…電源スイッチ
８１…圧電素子
８２…構造体
８３…ダイヤフラム（振動板）
９０…吸入口
９１，９２，９３，９４，９５，９６，９７…流路
９８…ポンプ室（流路）
９９…吐出口
１００…内部空間
【図１】
2015166749.tif 000003
【図２】
2015166749.tif 000004
【図３】
2015166749.tif 000005
【図４】
2015166749.tif 000006
【図５】
2015166749.tif 000007
【図６】
2015166749.tif 000008
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
筐体、前記筐体外部に露出する吸入口、前記吸入口に通じる流路、および、前記流路から流体を吐出する吐出口を設けた吸入装置であって、
前記筐体の内部空間に、前記流路に面する一方主面、および、前記一方主面に対向する他方主面を有し、前記一方主面および前記他方主面は、前記吸入口が向く方向とは異なる方向を向いている振動板と、
前記筐体を挟み前記内部空間と対向する位置に把持部と、を備える、
吸入装置。
【請求項２】
前記吐出口は、前記吸入口が位置する方向とは異なる方向を向いている、
請求項１に記載の吸入装置。
【請求項３】
前記振動板の一方主面または他方主面は、前記吐出口が位置する方向を向いている、
請求項１または請求項２に記載の吸入装置。
【請求項４】
前記振動板の一方主面および他方主面は、前記吸入口が位置する方向に対して略直交する方向を向いている、
請求項１乃至請求項３のいずれかに記載の吸入装置。
【請求項５】
前記振動板に付設した、前記振動板の一方主面を前記流路に対して変位させる圧電素子と、
前記圧電素子に駆動電圧を印加する回路基板と、を備え、
前記振動板の一方主面または他方主面は、前記回路基板が位置する方向を向いている、
請求項１乃至請求項４のいずれかに記載の吸入装置。
【請求項６】
遮蔽板を備え、前記振動板の一方主面または他方主面は、前記遮蔽板が位置する方向を向いている、
請求項１乃至請求項５のいずれかに記載の吸入装置。
【請求項７】
前記把持部は、前記振動板の一方主面および他方主面に対向する位置に設けられる、
請求項１乃至請求項６のいずれかに記載の吸入装置。
【請求項８】
前記振動板の主面面内方向のサイズが、前記振動板の一方主面および他方主面が向く方向での前記筐体の内部空間のサイズよりも大きい、
請求項１乃至請求項７のいずれかに記載の吸入装置。
【手続補正２】
【補正対象書類名】明細書
【補正対象項目名】０００８
【補正方法】変更
【補正の内容】
【０００８】
この発明は、筐体、前記筐体外部に露出する吸入口、前記吸入口に通じる流路、および、前記流路から流体を吐出する吐出口を設けた吸入装置であって、前記筐体の内部空間に、前記流路に面する一方主面、および、前記一方主面に対向する他方主面を有し、前記一方主面および前記他方主面は、前記吸入口が向く方向（吸入口において液体等が吸入される方向）とは異なる方向を向いている振動板と、前記筐体を挟み前記内部空間と対向する位置に把持部と、を備える。
【手続補正３】
【補正対象書類名】明細書
【補正対象項目名】００１３
【補正方法】変更
【補正の内容】
【００１３】
前記吸入装置は、前記振動板に付設した、前記振動板の一方主面を前記流路に対して変位させる圧電素子と、前記圧電素子に駆動電圧を印加する回路基板と、を備え、前記振動板の一方主面または他方主面は、前記回路基板が位置する方向を向いていることが好ましい。これにより、高音域可聴音が外部に漏れることを回路基板によって抑制でき、また、吐出口から吐出される流体を回路基板にあてて回路基板を効果的に冷却できる。
【手続補正４】
【補正対象書類名】明細書
【補正対象項目名】００１５
【補正方法】変更
【補正の内容】
【００１５】
前記把持部は、前記振動板の一方主面および他方主面に対向する位置に設けられることが好ましい。これにより、高音域可聴音が外部に漏れることを、筐体を把持する手によって抑制できる。
【国際調査報告】
2015166749.tif 000009
2015166749.tif 000010
2015166749.tif 000011
2015166749.tif 000012